(57)【要約】【課題】遊技盤の不正な取り外しを確実に防止する。【解決手段】セキュリティーキー５０は、軸５１に係合部５２、切断部５３、ストッパ部５４、操作つまみ部５５が設けられ、透光性の樹脂で形成される。遊技盤４にはキーロックケース６１が取り付けられる。本体枠３の支持枠取付部３ａにはキーシリンダー６２が取り付けられる。セキュリティーキー５０をキーロックケース６１に挿入すると、セキュリティーキー５０の第２係止突起５２ｂがキーロックケース６１の係止爪６５ｂと係合する。セキュリティーキー５０をキーシリンダー６２に挿入すると、第１係止突起５２ａがキーシリンダー６２の係止爪７１ｂと係合する。これにより、本体枠３と遊技盤４を含む遊技盤ユニット６とが封印処理される。この封印処理を解く場合には、操作つまみ部５５を回転させ、切断部５３でセキュリティーキー５０を切断する。【選択図】        図１１
2005013545.tif 000002
【特許請求の範囲】
【請求項１】
遊技領域を備える遊技盤と、前記遊技盤を着脱可能に支持する支持部材と、前記支持部材が着脱可能に取り付けられる本体基部とを有する弾球遊技機において、
前記本体基部に設けられる第１貫通孔と、
前記遊技盤と支持部材との少なくともいずれか一方に設けられる第２貫通孔と、
前記第１貫通孔と第２貫通孔とに挿通する挿通部材と、
前記本体基部に設けられ、前記挿通部材に向けて光を発光する発光体とを備え、
前記挿通部材を第１貫通孔と第２貫通孔とに挿通させる際に挿通部材に形成された第１係止部と係合する第１係合部を第１貫通孔に、前記挿通部材に形成された第２係止部と係合する第２係合部を第２貫通孔に、前記挿通部材を脱不可状態にする固定部を当該挿通部材と第１貫通孔及び第２貫通孔との少なくともいずれか一方にそれぞれ設けたことを特徴とする弾球遊技機。
【請求項２】
前記挿通部材は、前記第２係止部と該第２係止部側の前側端部との間に当該挿通部材を分離させるための分離部が形成され、この分離部で挿通部材を分離したときに、前記挿通部材は、前記前側端部を有する部分と前記第１係止部及び第２係止部を有する部分とに分離されることを特徴とする請求項１記載の弾球遊技機。
【請求項３】
前記挿通部材は透光可能な部材からなり、前記支持部材は、前記遊技盤の遊技領域を視認可能な窓扉部を支持し、前記窓扉部に挿通部材を介して通過された光を当該窓扉部の外部から視認可能にする光視認部を設けたことを特徴とする請求項１または２記載の弾球遊技機。
【請求項４】
前記挿通部材を介して通過された光を光視認部に導くための導光部材を窓扉部に取り付け、この導光部材を一方の先端が前記挿通部材の前側端部に近接するように形成したことを特徴とする請求項３記載の弾球遊技機。
【請求項５】
前記遊技盤の裏面に着脱可能に取り付けられ、制御装置を支持する裏機構盤を備え、この裏機構盤に前記挿通部材を挿通可能とする裏機構盤貫通孔を設けたことを特徴とする請求項１ないし４いずれか１つ記載の弾球遊技機。
【請求項６】
前記遊技盤の遊技領域側の表面に着脱可能に取り付けられ、遊技球を遊技領域へ案内する遊技球案内部材を備え、この遊技球案内部材に前記挿通部材を挿通可能とする案内部材貫通孔を設けたことを特徴とする請求項１ないし５いずれか１つ記載の弾球遊技機。
【請求項７】
前記挿通部材に取り付けられ、データが記憶可能なデータ記憶媒体と、このデータ記憶媒体に記憶されたデータを読み取るデータ読み取り手段とを備えたことを特徴とする請求項１ないし６いずれか１つ記載の弾球遊技機。
【発明の詳細な説明】
【０００１】
【発明の属する技術分野】
本発明は、パチンコ店等の遊技場に設置して使用される弾球遊技機に関するものである。
【０００２】
【従来の技術】
パチンコ店などの遊技場に設置して使用されるパチンコ機等の弾球遊技機は、パチンコ球等の遊技媒体に一定の価値が与えられて、ゲームを行って獲得した遊技媒体を種々の景品に交換することができる。弾球遊技機は、遊技盤や遊技盤を装着させる本体枠に、遊技媒体の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。また、近年では、予め定められた入賞口への入賞等の所定条件の達成に基づいて所定の識別情報（図柄）を変動表示し得るリール表示装置または液晶画像表示装置等の図柄可変表示手段を内蔵し、所定条件を満たしたときに識別情報を変動させた後に停止表示させるように図柄可変表示手段を作動させるものが主流となっている。
【０００３】
一般に本体枠には球発射装置や賞球受け皿が設けられ、この本体枠に遊技盤が組み付けられる。遊技盤には、各種入賞口や入賞球装置、障害釘などが設けられた遊技領域があり、球発射装置で打ち出されたパチンコ球をこの遊技領域で流下させることによってゲームが行われる。遊技盤の背後には、入賞口やアウト穴に入ったパチンコ球を所定の経路で回収するための球通路板や、入賞球装置または液晶パネルを駆動するための制御回路装置などを有する裏機構ユニットが設けられている。そして、裏機構ユニットの保守・点検を簡便に行うことができるように、本体枠は外枠と称する取り付け枠の１側部に対してヒンジ止めされ、遊技盤を保持したまま本体枠を回動させることができるようになっている。また、遊技盤の遊技領域は、ガラス板や透明な強化プラスチックプレート製の透明板で覆われ、遊技の過程をプレイヤが透視できるようになっている。透明板はガラス枠と称される本体枠に軸支されている枠体で保持され、このガラス枠は遊技盤面上での球詰まりに簡単に対処できるように開閉式になっている。
【０００４】
最近の遊技機の内部に配設されている制御回路装置は、基板上に設けられたＣＰＵ（ｃｅｎｔｒａｌ  ｐｒｏｃｅｓｓｉｎｇ  ｕｎｉｔ）が、制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００５】
ところで、遊技場でパチンコ遊技機の入替を行うときには、取り付け枠を含む本体枠ごと取り外して交換することが通常である。しかし、パチンコ遊技機を構成する部品には、そのまま流用可能なものも含まれているのが実情で、機種入替時のコストアップの大きな原因となっている。このため、流用可能な部品を遊技場に据え置きにし、新たに変更になる部品のみを交換することが現在検討されている。この場合、本体枠、遊技の際の基本動作を行うパチンコ球発射装置や払い出し装置、演出効果を行うランプやスピーカを遊技場に据え置きにし、遊技盤、図柄可変表示装置、制御回路装置などを交換することが一般的に考えられる。このため、遊技盤は、本体枠に着脱可能となっている。
【０００６】
【発明が解決しようとする課題】
しかしながら、遊技盤は本体枠に着脱可能なため、遊技盤を不正に取り外し、各種入賞口や入賞球装置、障害釘などが改変された不正な遊技盤に取り替えられることがあった。また、遊技盤を取り外すと制御回路装置が露呈されるため、遊技盤を不正に取り外し、本体枠内部または遊技盤ユニットの裏機構盤に取り付けられた制御回路装置の制御プログラムが不正に改変されてしまうという問題があった。
【０００７】
本発明は、上記従来技術の問題を解決するためになされたものであり、遊技盤の不正な取り外しを確実に防止することができる弾球遊技機を提供することを目的とする。
【０００８】
【課題を解決するための手段】
上記目的を達成するために、本発明の弾球遊技機は、遊技領域を備える遊技盤と、前記遊技盤を着脱可能に支持する支持部材と、前記支持部材が着脱可能に取り付けられる本体基部とを有する弾球遊技機において、前記本体基部に設けられる第１貫通孔と、前記遊技盤と支持部材との少なくともいずれか一方に設けられる第２貫通孔と、前記第１貫通孔と第２貫通孔とに挿通する挿通部材と、前記挿通部材の後方に配置され、前記挿通部材に向けて光を発光する発光体とを備え、前記挿通部材を第１貫通孔と第２貫通孔とに挿通させる際に挿通部材に形成された第１係止部と係合する第１係合部を第１貫通孔に、前記挿通部材に形成された第２係止部と係合する第２係合部を第２貫通孔に、前記挿通部材を脱不可状態にする固定部を当該挿通部材と第１貫通孔及び第２貫通孔との少なくともいずれか一方にそれぞれ設けたことを特徴とする。
【０００９】
なお、前記挿通部材は、前記第２係止部と該第２係止部側の前側端部との間に当該挿通部材を分離させるための分離部が形成され、この分離部で挿通部材を分離したときに、前記挿通部材は、前記前側端部を有する部分と前記第１係止部及び第２係止部を有する部分とに分離されることが好ましい。また、前記挿通部材は透光可能な部材からなり、前記支持部材は、前記遊技盤の遊技領域を視認可能な窓扉部を支持し、前記窓扉部に挿通部材を介して通過された光を当該窓扉部の外部から視認可能にする光視認部を設けることが好ましい。さらに、前記挿通部材を介して通過された光を光視認部に導くための導光部材を窓扉部に取り付け、この導光部材を一方の先端が前記挿通部材の前側端部に近接するように形成することが好ましい。
【００１０】
また、前記遊技盤の裏面に着脱可能に取り付けられ、制御装置を支持する裏機構盤を備え、この裏機構盤に前記挿通部材を挿通可能とする裏機構盤貫通孔を設けることが好ましい。さらに、前記遊技盤の遊技領域側の表面に着脱可能に取り付けられ、遊技球を遊技領域へ案内する遊技球案内部材を備え、この遊技球案内部材に前記挿通部材を挿通可能とする案内部材貫通孔を設けることが好ましい。また、前記挿通部材に取り付けられ、データが記憶可能なデータ記憶媒体と、このデータ記憶媒体に記憶されたデータを読み取るデータ読み取り手段とを備えることが好ましい。
【００１１】
【発明の実施の形態】
図１に示すように、弾球遊技機の１実施例であるパチンコ機２は、本体基部としての本体枠３の内部に遊技盤４が配設されており、本体枠３の前面にはガラス枠５が開閉自在に取り付けられている。遊技盤４には、図柄可変表示装置７、始動口８、通常入賞口９、通過入賞口１０、アタッカ１１などの所定入賞口及びアウト口１２が設けられている遊技領域４ａが形成されている。また、図示は省略してあるが、遊技盤４にはその他複数の障害釘や風車などが適宜箇所に設けられている。
【００１２】
本体枠３には、パチンコ球発射装置、賞球払い出し装置、電源回路、ランプ、スピーカーなどの異機種でも使用できる共通部品が組み付けられている。
【００１３】
遊技媒体として用いられるパチンコ球を操作ハンドルＨの操作による入力に基づいてパチンコ球発射装置によって一個ずつ遊技盤４の遊技領域に打ち出されると、始動口８、通常入賞口９、通過入賞口１０、アウト口１２のいずれかに入る。始動口８にパチンコ球が入ったときには図柄表示装置７が作動され、表示されている図柄の可変表示が所定時間行われて当たり判定や演出処理が行われる。そして、図柄の可変表示が停止されたときに入賞有効位置上に所定の図柄の組み合わせが得られると当たりとなり、遊技者にとって通常よりも有利となる遊技状態へと所定期間内移行される。
【００１４】
当たりが得られるときに生じる有利な遊技状態とは例えば開閉可能な扉部材を備えたアタッカ１１を１回につき所定時間又はパチンコ球が所定個数入賞するまで閉口状態から開口状態にし、これが所定回数繰り返される。始動口８、通常入賞口９又はアタッカ１１にパチンコ球が入賞すると所定個数の景品球となる賞球払い出しが行われる。始動口８、通常入賞口９又はアタッカ１１にパチンコ球が入賞しなかった場合は、未入賞のパチンコ球としてアウト口１２に入ってハズレ球として回収される。前記景品球は払い出し口１３から受皿１４に所定入賞口毎の入賞に応じて払い出される。
【００１５】
図２に示すように、ガラス枠５は、本体枠３の前面に開閉自在に取り付けられている。ガラス枠５の内側には、可視可能なガラス１５が着脱自在で交換可能に取り付けられている。ガラス１５は軸部Ｊを中心に回転自在となっており、ガラス枠５の中央部に形成された開口５ａに対して開閉するように設けられ、ガラス固定部材１９によって固定される。なお、本実施形態におけるガラス枠５は、図示しない電飾やスピーカーなどの装置を取り付けることが可能となるような構造になっている。
【００１６】
図３に示すように、ガラス枠５は、遊技盤４を支持する支持部材としての支持枠１６に開閉自在に取り付けられている。遊技盤ユニット６は支持枠１６の遊技盤ユニット取付部１６ａに交換可能に取り付けられており、支持枠１６は本体枠３の支持枠取付部３ａに交換可能に取り付けられている。本体枠３の上下端部には支持枠固定部材１７が設けられている。支持枠１６の遊技盤ユニット取付部１６ａ内の上下端部には、遊技盤ユニット固定部材１８が設けられており、さらに、固定部材取付孔１６ｂが上下に形成されている。なお、支持枠固定部材１７と遊技盤ユニット固定部材１８とには、それぞれ回動可能な係止部１７ａ，１８ａが軸支されている。また、遊技盤４の右側上下端部には固定部材挿通孔４ｂ（図６参照）が形成されている。固定部材挿通孔４ｂは遊技盤ユニット固定部材１８を挿通させることのできる位置に設けられている。さらに、後述する遊技領域規制枠２１の枠本体２５に形成される固定部材取付孔２５ｃ（図５参照）は、遊技盤ユニット固定部材１８の係止部１８ａを係止させることができる位置に設けられている。
【００１７】
支持枠固定部材１７及び遊技盤ユニット固定部材１８は同じ構造の部材であるため、本体枠３に支持枠１６を取り付ける場合の支持枠固定部材１７を例に説明する。図４に示すように、固定部材取付孔１６ｂは支持枠固定部材１７が挿通可能な大きさで、支持枠固定部材１７の係止部１７ａと係止可能となるように形成されている。係止部１７ａは支持枠固定部材１７に回転自在に軸支されており、支持枠１６が取り付けられていない状態では図に示すように係止部１７ａが長手方向が垂直に向けられた取り外し位置にセットされている。支持枠１６が本体枠３の支持枠取付部３ａに取り付けられると、支持枠固定部材１７が固定部材取付孔１６ｂに挿通され、係止部１７ａが回転自在となるように固定部材取付孔１６ｂから突出する。
【００１８】
図５に示すように、係止部１７ａが固定部材取付孔１６ｂから突出した状態でその長手方向が水平となるように９０度回転されると、支持枠固定部材１７は固定位置にセットされる。固定位置への回動によって、係止部１７ａが固定部材取付孔１６ｂから挿脱不能となり、支持枠１６を係止する。これにより、支持枠１６が本体枠３に固定される。
【００１９】
図６に示すように、遊技盤ユニット６は、遊技盤４、裏機構盤としての支持体２０及び遊技球案内部材としての遊技領域規制枠２１から構成されており、遊技盤４を支持体２０と遊技領域規制枠２１とで挟持する構成となっている。遊技領域規制枠２１は、枠本体２５に、外レール２６、第１内レール２７、第２内レール２８から構成されている。このうち、枠本体２５、外レール２６、第１内レール２７及び第２内レール２８は例えばポリアセタール等の摺動性、耐摩耗性に優れた樹脂材から形成されている。なお、第１内レール２７と外リール２６との間は、打ち出された遊技球を遊技領域４ａに向けて誘導するためのガイド部２５ａとなる。また、枠本体２５の中央には、遊技における遊技球の移動を規制（形成）するための開口２５ｂが形成され、その下方に入賞口に入賞しなかった遊技球を所定の受け部に導くためのアウト口３１の前面装飾３１ａが形成される。第１内レール２７及び第２内レール２８の側壁面２７ａ，２８ａは開口２５ｂに面しており、遊技領域４ａを規制するための壁面となる。なお、外レール２６、第１内レール２７及び第２内レール２８は、それぞれ図示しないビス等により枠本体２５に組み付け固定される。
【００２０】
図７に示すように、遊技盤４の略中央には開口４ｃが形成され、この開口４ｃにセンター役物３３が組み付けられる。なお、遊技盤ユニット６を支持枠１６に組み付けると、センター役物３３に形成された開口３３ａを介して、支持体２０に組み付けられた図柄可変表示装置７が視認できるようになっている。
【００２１】
図７に示すように、遊技盤４の後面には遊技を行う際に作動が行われる各種装置を制御するためのメインプログラムや図柄可変表示装置７の可変表示制御を行うための演出プログラムが記憶されたプログラムＲＯＭ（情報記憶媒体）３６及び、図柄可変表示装置７で表示する画像データ、音声データ、メインプログラム等に基づいて行われる処理状況に応じて各種装置を作動させるためのデータ等が記憶されているデータＲＯＭ（情報記憶媒体）３７、メモリコントローラが組み付けられた回路基板３８が設けられている。この回路基板３８にはコネクタ３９が設けられており、支持体２０に組み付けられた主制御回路装置（基板）４０に連接させるためのコネクタ４１が嵌め込まれる。これにより、主制御回路基板４０と回路基板３８とがケーブル４２、４３を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００２２】
図６及び図７に示すように、支持体２０には図柄可変表示装置７の他に、主制御回路装置４０や副制御回路装置４４が組み付けられる。この支持体２０の前面には複数のリブ２０ａが設けられ、これらリブ２０ａにより球通路２０ｂが形成される。遊技を行った際に各入賞口及びアウト口に入った遊技球は、リブ２０ａにより形成された球通路２０ｂを通過して所定の受け部に誘導される。この支持体２０の上下４箇所にはボス４５が形成されており、このボス４５には後述する遊技領域規制枠２１に設けられた係止つまみ４７を挿通させるための開口４６が形成されている。このボス４５は、遊技盤４に形成された位置決め開口４ｄに後面側から挿通されることで、遊技盤４と支持体２０との位置決めが行われる。図６に示すように、支持体２０の左側上部には、切欠き２０ｃが形成されており、後述するセキュリティーキー５０挿通時には、セキュリティーキー５０はこの切欠き２０ｃを通過する。なお、支持体２０に、切欠き２０ｃを形成する代わりに、セキュリティーキー５０を挿通可能にする挿通開口を形成してもよい。
【００２３】
枠本体２５の後面の上端部及び下端部のそれぞれ２箇所計４箇所にはボス（図示せず）が形成され、このボスにロック機構である回動自在な係止つまみ４７が取り付けられる。このボスは遊技盤４に形成された位置決め開口４ｄに挿通されることで、枠本体２５と遊技盤４との位置決め係合される。また、係止つまみ４７は支持体２０に形成されたボス４５の開口４６に挿通された後に、開口４６に対して水平位置から垂直位置へと回動させることで、遊技盤４を挟持した状態で遊技領域規制枠２１と支持体２０との係合を行うことが可能となる。なお、ロック機構の構造及び個数は遊技盤ユニットの構成等を考慮して、適宜設定することが可能である。また、枠本体２５の右側の上下端部には固定部材取付孔２５ｃが形成されている。固定部材取付孔２５ｃは遊技盤ユニット固定部材１８の係止部１８ａを挿通させることのできる位置に設けられている。
【００２４】
図８〜図１１に示すように、セキュリティーキー５０は、本体枠３と遊技盤ユニット６との封印処理を行うために設けられている。このセキュリティーキー５０は、円柱形状の軸５１に係合部５２、切断部（分離部）５３、ストッパ部５４、操作つまみ部（前側端部）５５が設けられたものであり、透光性の樹脂で形成されている。係合部５２には、テーパ状の第１係止突起５２ａと第２係止突起５２ｂと回転防止突起５２ｃとが設けられている。第１係止突起５２ａは、軸５１の操作つまみ部５５と反対側の端部に、第２係止突起５２ｂは、軸５１の略中央部に、それぞれ一対のテーパ状の突起となるように設けられており、回転防止突起５２ｃは、第１，第２係止突起５２ａ，５２ｂに対して９０°回転した位置に一対のテーパ状の突起となるように設けられている。切断部５３は、係合後のセキュリティーキー５０に外部から力が加えられたときに、切断される分離部位であり、軸５１に比べて細径に形成されている。操作つまみ部５５は、後述するキーロックケース６１及びキーシリンダー６２に挿通させたり、上記したセキュリティーキー５０に外部から力を加えるときのつまみである。
【００２５】
操作つまみ部５５には、セキュリティー管理番号等の識別情報を記載したインサートプレート５６が埋設されている。なお、操作つまみ部５５には、インサートプレート５６を埋設する代わりに、同様のセキュリティー管理番号等の識別情報を記憶させたＩＣチップ等のデータ記憶媒体と該識別情報を読み取り装置を介して読み取り可能とするアンテナ等を埋設させてもよい。この場合、専用の読み取り装置で容易かつ短時間に、ＩＣチップに記憶された識別情報をアンテナを介して読み取ることができ、識別情報のチェックを行うことでセキュリティーキー５０の監視を読み取り装置を介して行うことができる。また、識別情報としては、パチンコ機２またはセキュリティーキー５０の識別等を特定できるとともに、容易に解読できないものであれば不正にセキュリティーキー５０に接触するのを防止するのに好適であり、セキュリティー管理番号を暗号化して用いるとよい。
【００２６】
枠本体２５のキー受け部２５ｄ（図６参照）には、セキュリティーキー５０を挿通するための開口２５ｅが形成されており、セキュリティーキー５０を開口２５ｅに挿通後、キー受け部２５ｄは、セキュリティーキー５０のストッパ部５４に接触して、セキュリティーキー５０の挿通方向のストッパとして機能する。
【００２７】
遊技盤４には、キーロックケース６１を取り付けるための取付孔４ｅと、キーロックケース６１をビス締め固定するためのビス締め孔４ｆとが形成されている（図６参照）。ビス締め孔４ｆは、上下に２個形成されている。本体枠３の支持枠取付部３ａには、キーシリンダー６２を取り付けるための取付孔３ｂと、キーシリンダー６２をビス締め固定するためのビス締め孔３ｃとが形成されている（図３参照）。ビス締め孔３ｃは、上下に２個設けられている。
【００２８】
図９及び図１０に示すように、キーロックケース６１は、略円筒状の本体部６５と、遊技盤４への取り付け用の取り付け鍔部６６とからなり、本体部６５にはセキュリティーキー５０挿通用の挿通開口６５ａが形成されている。挿通開口６５ａは、略十字形状で形成されており、略十字形状の上下はセキュリティーキー５０に設けられた係合部５２の第１，第２係止突起５２ａ，５２ｂ挿通用として、略十字形状の左右は回転防止突起５２ｃ挿通用としての開口である。本体部６５内部には、セキュリティーキー５０挿通時に、セキュリティーキー５０の第２係止突起５２ｂと係合する係止爪６５ｂが上下に、回転防止突起５２ｃを挿通方向にガイドするとともにその回転を防止する固定部としての回転防止凹部６５ｃが左右にそれぞれ設けられている。図１２に示すように、セキュリティーキー５０の係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。
【００２９】
キーロックケース６１は、弾性変形可能な樹脂により成形されており、係止爪６５ｂは、図１０に示すように、セキュリティーキー５０挿通時に、第２係止突起５２ｂと当接することによって先端側の口径が拡大するように弾性変形する形状に形成されている。取り付け鍔部６６は、上下に２個設けられており、ビス締め用のビス締め孔６６ａがそれぞれ設けられている。キーロックケース６１の本体部６５を遊技盤４に形成された取付孔４ｅ（図６参照）に挿入し、ビス締め孔６６ａとビス締め孔４ｆとをビス６８によりビス締め固定することにより、キーロックケース６１が遊技盤４に固定される。
【００３０】
図９及び図１０に示すように、キーシリンダー６２は、略円筒状の本体部７１と、本体枠３の支持枠取付部３ａへの取り付け用の取り付け鍔部７２とからなり、本体部７１にはセキュリティーキー５０挿通用の挿通開口７１ａが形成されている。挿通開口７１ａは、略十字形状で形成されており、略十字形状の上下はセキュリティーキー５０に設けられた係合部５２の第１係止突起５２ａ挿通用として、略十字形状の左右はセキュリティーキー５０を９０°回転させた状態（図１６参照）のときの第１係止突起５２ａの挿通用としての開口である。本体部７１内部には、セキュリティーキー５０挿通時に、第１係止突起５２ａと係合する係止爪７１ｂが上下にそれぞれ設けられている。図１３に示すように、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。
【００３１】
キーシリンダー６２は、弾性変形可能な樹脂により成形されており、係止爪７１ｂは、図１０に示すように、セキュリティーキー５０挿通時に、第１係止突起５２ａと当接することによって先端側の口径が拡大するように弾性変形する形状に形成されている。取り付け鍔部７２は、上下に２個設けられており、ビス締め用のビス締め孔７２ａがそれぞれ設けられている。キーシリンダー６２を本体枠３の支持枠取付部３ａに形成された取付孔３ｂ（図３参照）に挿入し、ビス締め孔７２ａとビス締め孔３ｃとをビス６８によりビス締め固定することにより、キーシリンダー６２が本体枠３の支持枠取付部３ａに固定される。
【００３２】
図１１に示すように、キーシリンダー６２には、セキュリティー基板７５が図示しないビス等により取り付けられている。このセキュリティー基板７５には、発光装置としてのＬＥＤ７６が設けられており、ＬＥＤ７６は図示しないケーブル等により副制御回路装置４２に接続され、副制御回路装置４２により点灯制御される。セキュリティーキー５０挿入後、ＬＥＤ７６からの表示光は、透光性の樹脂で形成されたセキュリティーキー５０の内部を通過し、操作つまみ部５５側から出射され、ガラス枠５に設けられ、光を導くための導光部材としてのレンズ７８（図１及び図８参照）を介して視認可能となる。なお、レンズとしては、導光性のものであればよい。
【００３３】
上記のように構成されたパチンコ機の作用について説明する。パチンコ機２を組み立てるにあたって、遊技領域規制枠２１の枠本体２５のキー受け部２５ｄに形成された開口２５ｅにセキュリティーキー５０を挿入する。開口２５ｅに挿入されたセキュリティーキー５０は、遊技盤４に取り付けられたキーロックケース６１に挿入される。図１２に示すように、係合部５２がキーロックケース６１の本体部６５内部に挿入されると、第２係止突起５２ｂが係止爪６５ｂと係合し、回転防止突起５２ｃが回転防止凹部６５ｃにより挿通方向にガイドされるとともにその回転が防止され、位置決めされる。そして、セキュリティーキー５０が挿入された遊技盤ユニット６を支持枠１６に組み付け、支持枠１６を本体枠３に組み付ける。
【００３４】
図１３に示すように、遊技盤ユニット６が組み付けられた支持枠１６が本体枠３に組み付けられ、セキュリティーキー５０の係合部５２が、本体枠３の支持枠取付部３ａに取り付けられたキーシリンダー６２の本体部７１内部に挿入されると、第１係止突起５２ａが係止爪７１ｂと係合する。これにより、セキュリティーキー５０は、故意に破壊（切断）しない限り脱不可状態となるため、遊技盤ユニット６と本体枠３との封印処理が行われた状態となる。
【００３５】
パチンコ機２の機種交換を行うにあたって、遊技盤４を含む遊技盤ユニット６を交換する場合には、遊技盤ユニット固定部材１８の係止部１８ａを固定位置から９０°回転させ、開放位置にするとともに、セキュリティーキー５０による遊技盤ユニット６と本体枠３との封印処理を解く必要がある。先ず、セキュリティーキー５０の操作つまみ部５５を掴んで回転させて切断部５５に負荷を与える。図１４に示すように、操作つまみ部５５を回転させて負荷を与え続けると切断部５３がねじれた後に切断され、セキュリティーキー５０は、係合部５２側の第１キー５０ａと、操作つまみ部５５側の第２キー５０ｂとに分離される。これにより、セキュリティーキー５０が脱離可能な状態となり、遊技盤ユニット６と本体枠３との封印処理が解かれた状態となり、遊技盤ユニット６を取り外すことができるようになる。
【００３６】
そして、図１５に示すように、セキュリティーキー５０を切断させた後に、遊技盤ユニット６を取り外す。このとき、切断されたセキュリティーキー５０の第１キー５０ａは、キーシリンダー６２の本体部７１内部に残されている。遊技盤ユニット６を取り外すと、遊技盤４に取り付けられたキーロックケース６１も一緒に取り外され、第１キー５０ａは、回転防止凹部６５ｃによる回転防止が解かれ、回転可能となる。そこで、図１６に示すように、第１キー５０ａを９０°回転させて、第１係止突起５２ａと係止爪７１ｂとの係合を解く。この状態のまま、図１７に示すように、第１キー５０ａをキーシリンダー６２から抜き取る。そして、新たな機種に対応した新たな遊技盤ユニット６を取り付けるとともに、新たなセキュリティーキー５０により、新たな遊技盤ユニット６と本体枠３との封印処理を行う。
【００３７】
このように、遊技盤ユニット６を正規に交換するためには、新たなセキュリティーキー５０が必要となる。したがって、遊技盤ユニット６を不正に取り替える等の不正行為（セキュリティーキー５０の切断）が行われた場合には、セキュリティーキー５０を新たなものに交換することができず、切断部５３で切断されたセキュリティーキー５０がキーシリンダー６２の本体部７１内部に残されたままの状態となる。セキュリティーキー５０は、透光性の樹脂で形成されており、切断された場合、その切断面は白化等により歪んで汚れたものとなる。このため、切断部５３の切断面で、ＬＥＤ７６から発光されセキュリティーキー５０を通過する光の拡散等が発生し、レンズ７８により視認するセキュリティーキー５０から出射される光が、通常時（セキュリティーキー５０が切断されていない状態）とは異なったものとなる。この光の視認具合により、遊技盤ユニット６を不正に取り替える等の不正行為（セキュリティーキー５０の切断）の有無を把握することができる。
【００３８】
なお、上記実施形態では、ガラス枠５にＬＥＤ７６の点灯を視認可能にする透光性のレンズ７８を取り付けたが、ＬＥＤ７６の点灯を視認可能にできればよく、例えば、ＬＥＤ７６の点灯エリア部を、ＬＥＤ７６の発光を通す無色透明な樹脂から形成してもよい。
【００３９】
また、上記実施形態では、遊技盤４にキーロックケース６１を、本体枠３の支持枠取付部３ａにキーシリンダー６２を取り付けたが、遊技盤４にキーロックケース６１の形状のものを、支持枠取付部３ａにキーシリンダー６２の形状のものをそれぞれ形成してもよい。
【００４０】
図１８に別の実施形態を示す。なお、上記実施形態のものと同一の構成部材には同一の符号を付し、その詳細な説明を省略する。この実施形態では、セキュリティーキー８０は、非透光性の樹脂で形成されている。セキュリティーキー８０の軸５１内部には、透光孔８１が穿通されており、この透光孔５１は、第１係止突起５２ａ側の先端からストッパ部５４までの範囲で形成されている。
【００４１】
図１９に示すように、セキュリティーキー５０の操作つまみ部５５を回転させて切断部５３を切断させ、操作つまみ部５５と係合部５２とを分離すると、ＬＥＤ７６からの表示光は、セキュリティーキー８０の透光孔８１を通過し、ガラス枠５に設けられたレンズ７８により視認可能となる。
【００４２】
このように、セキュリティーキー５０により遊技盤ユニット６と本体枠３との封印処理が行われている場合には、ＬＥＤ７６からの表示光は、非透光性のセキュリティーキー８０により遮断され、ガラス枠５に設けられた透光性のレンズ７８により視認することができないが、遊技盤ユニット６を不正に取り替える等の不正行為（セキュリティーキー８０の切断）が行われた場合には、ＬＥＤ７６からの表示光は、セキュリティーキー８０の透光孔８１を通過し、ガラス枠５に設けられたレンズ７８により視認可能となる。これにより、不正行為の有無を把握することができる。
【００４３】
【発明の効果】
以上説明したように、本発明の弾球遊技機によれば、遊技盤や支持部材等を新たなものまたは不正なものに取り替える場合には、脱不可状態の挿通部材を取り除く必要があり、この挿通部材を取り除いた場合には、出射される光が漏れる状態または発光具合が通常時とは異った状態となるため、この光を監視すれば取り替え行為の状況を容易かつ的確に理解でき、不正行為の有無を把握可能となる。また、挿通部材に分離部を設け、分離後の第１及び第２係止部を有する挿通部材を第１及び第２貫通孔の部分に残したので、容易に遊技盤や支持部材等を取り替えることができなくなるため、不正行為の防止及び抑制を図ることができる。
【図面の簡単な説明】
【図１】本発明を実施したパチンコ機の外観斜視図である。
【図２】ガラス枠を開放した状態を示す斜視図である。
【図３】本体枠に遊技盤を取り付ける状態を示す斜視図である。
【図４】支持枠固定部材が取り付け位置にセットされた状態を示す正面図である。
【図５】支持枠固定部材が固定位置にセットされた状態を示す正面図である。
【図６】遊技盤ユニットの構成を分解して示す斜視図である。
【図７】遊技盤と支持体との構成を分解した状態の概略を示す断面図である。
【図８】ガラス枠及びレンズと、セキュリティーキー及びこのセキュリティーキーが挿入されるキーロックケース、キーシリンダーとの位置関係を示す断面図である。
【図９】セキュリティーキーと、キーロックケースと、キーシリンダーとを示す斜視図である。
【図１０】セキュリティーキー及びこのセキュリティーキーが挿入される遊技領域規制枠の枠本体、遊技盤及び本体枠の支持枠取付部を示す斜視図である。
【図１１】セキュリティーキーを遊技領域規制枠の枠本体からキーロックケースに挿入する場合の、セキュリティーキー及びその近傍の構成を示す断面図である。
【図１２】セキュリティーキーが挿入された遊技盤ユニットを本体枠に組み付ける場合の、セキュリティーキー及び本体枠の支持枠取付部の構成を示す断面図である。
【図１３】セキュリティーキーにより封印処理されたパチンコ機の、セキュリティーキー及びその近傍を示す断面図である。
【図１４】セキュリティーキーによる封印処理を解いた場合の、セキュリティーキー及びその近傍を示す断面図である。
【図１５】遊技盤ユニットを本体枠から取り外した場合のセキュリティーキーの状態及びその近傍を示す断面図である。
【図１６】セキュリティーキーを９０°回転させ、抜き取ることができる状態にした場合のセキュリティーキー及びキーシリンダーを示す断面図である。
【図１７】キーシリンダーからセキュリティーキーを抜いた場合の状態を示す断面図である。
【図１８】本発明の別の実施形態を示すセキュリティーキーを遊技領域規制枠の枠本体からキーロックケースに挿入する場合の、セキュリティーキー及びその近傍の構成を示す断面図である。
【図１９】図１８に示す実施形態のセキュリティーキーによる封印処理を解いた場合の、セキュリティーキー及びその近傍を示す断面図である。
【符号の説明】
２  パチンコ機
３  本体枠
３ａ  支持枠枠取付部
４  遊技盤
４ａ  固定部材取付孔
５  ガラス枠
６  遊技盤ユニット
１６  支持枠
１６ａ  遊技盤ユニット取付部
１６ｂ  固定部材取付孔
１７  支持枠固定部材
１８  遊技盤ユニット固定部材
２０  支持体
２１  遊技領域規制枠
２５  枠本体
２５ｄ  キー受け部
２５ｅ  開口
５０，８０  セキュリティーキー
５０ａ  第１キー
５０ｂ  第２キー
５１  軸
５２  係合部
５２ａ  第１係止突起
５２ｂ  第２係止突起
５２ｃ  回転防止突起
５３  切断部
５４  ストッパ部
５５  操作つまみ部
６１  キーロックケース
６２  キーシリンダー
６５  本体部
６５ａ  挿入開口
６５ｂ  係止爪
６５ｃ  回転防止凹部
６５ｄ  ビス締め孔
６６  取り付け鍔部
６６ａ  ビス締め孔
７１  本体部
７１ａ  挿入開口
７１ｂ  係止爪
７２  取り付け鍔部
７２ａ  ビス締め孔
７５  セキュリティー基板
７６  ＬＥＤ
７８  レンズ
８１  透光孔
【図１】
2005013545.tif 000003
【図２】
2005013545.tif 000004
【図３】
2005013545.tif 000005
【図４】
2005013545.tif 000006
【図５】
2005013545.tif 000007
【図６】
2005013545.tif 000008
【図７】
2005013545.tif 000009
【図８】
2005013545.tif 000010
【図９】
2005013545.tif 000011
【図１０】
2005013545.tif 000012
【図１１】
2005013545.tif 000013
【図１２】
2005013545.tif 000014
【図１３】
2005013545.tif 000015
【図１４】
2005013545.tif 000016
【図１５】
2005013545.tif 000017
【図１６】
2005013545.tif 000018
【図１７】
2005013545.tif 000019
【図１８】
2005013545.tif 000020
【図１９】
2005013545.tif 000021